(57)【要約】      （修正有）【課題】鉄鋼の製造過程において発生する油分を多く含む鉄系の含油スラッジの処理において、重油等の燃料の使用量を削減でき、且つ、排ガスに含まれる油分も低減できる含油スラッジの処理方法、及び、この処理方法を利用する焼結原料の製造方法の提供。【解決手段】鉄系の含油スラッジ１８を燃焼炉１０によって処理する際、燃焼炉に、燃料と、燃料を燃焼するための燃焼用空気２４とを供給すると共に、燃焼炉から排出された排ガス２８の一部４２を、燃焼用空気の少なくとも一部として用いる含油スラッジの処理方法及び焼結原料３０の製造方法。【選択図】図２
2016123913.tif 000002
【特許請求の範囲】
【請求項１】
鉄系の含油スラッジを燃焼炉によって処理する際に、
前記燃焼炉に、燃料と、前記燃料を燃焼するための燃焼用空気とを供給すると共に、前記燃焼炉から排出された排ガスの一部を、前記燃焼用空気の少なくとも一部として用いることを特徴とする含油スラッジの処理方法。
【請求項２】
さらに、前記燃焼炉から排出された排ガスを排ガス処理設備によって処理し、
前記排ガス処理設備で処理されていない排ガスを、前記燃焼用空気として用いる請求項１に記載の含油スラッジの処理方法。
【請求項３】
さらに、前記排ガス処理設備に供給する排ガスに冷却用空気を混合し、
前記冷却用空気が混合されていない排ガスを、前記燃焼用空気として用いる請求項２に記載の含油スラッジの処理方法。
【請求項４】
前記排ガス処理設備が、複数の処理装置によって排ガスの処理を行うものであり、
最初の前記処理装置によって処理された排ガスを、前記燃焼用空気として用いる請求項２または３に記載の含油スラッジの処理方法。
【請求項５】
前記排ガス処理設備が、最初にサイクロンによって排ガスを処理し、次いで、電気集塵機によって排ガスを処理するものである請求項２〜４のいずれかに記載の含油スラッジの処理方法。
【請求項６】
鉄系の含油スラッジを燃焼炉によって処理する焼結原料の製造方法であって、
前記燃焼炉に、燃料および前記燃料を燃焼するための燃焼用空気とを供給すると共に、前記燃焼炉から排出された排ガスの一部を、前記燃焼用空気の少なくとも一部として用いることを特徴とする焼結原料の製造方法。
【発明の詳細な説明】
【技術分野】
【０００１】
本発明は、鉄鋼の製造過程において発生する油分を多く含む鉄系の含油スラッジの処理方法、および、この処理方法を利用する焼結原料の製造方法に関する。具体的には、含油スラッジを焼結原料の一部等として再利用する含油スラッジの処理において、燃料の削減を可能にする含油スラッジの処理方法、および、この処理方法を利用する焼結原料の製造方法に関する。
【背景技術】
【０００２】
製鉄所においては、鉄鉱石をコークス等で還元して溶銑とし、その溶銑を精錬して鋼として、各種の鉄鋼製品を製造している。このような鉄鋼製品を製造する際、油分を含む鉄を主成分とする各種のスラッジやダストが発生する。
例えば、圧延工程においては、摩擦係数を低減して圧延負荷を軽減したり、圧延機の潤滑性を確保し、損耗等を防止したりするために、種々の圧延潤滑油や作動油、グリース等が使用されている。そのため、この圧延潤滑油などの油分を含む鉄系のスラッジが多量に発生する（以降、このような油分を含むスラッジを、単に「含油スラッジ」ともいう）。
【０００３】
この含油スラッジ中に含まれる油分の濃度は、発生工程や圧延機の種類等によっても異なるが、高いものでは１０質量％以上となるものもある。
【０００４】
従来は、含油スラッジを、そのまま造粒原料の一部として焼結原料中に用いて造粒し、擬似粒子の焼結原料として焼結機に装入していた。
ところが、前述のように、含油スラッジは、多いものでは１０質量％以上の油分を含んでいる。そのため、焼結原料中に含まれる油分が気化し、電気集塵機やバグフィルターに付着する。電気集塵機やバグフィルターに付着した油分は、目詰まりや火災などの事故の原因となる。
【０００５】
また、含油スラッジを転炉製鋼原料として用いた際には、粒度が細かく粉塵としての飛散が多くなる。そのため、別途ブリケット化あるいはペレット化することが必要となり、コストがかかる。しかも、油分を含有するため転炉に装入時に発煙が発生する、あるいは注銑時に蒸気爆発するなどの問題が起こる恐れがある。
【０００６】
以上のように、含油スラッジを、そのまま使用すると、操業面で悪影響を及ぼすという問題がある。そのため、含油スラッジは、このままでは製鉄原料として再利用することが難しいため、従来、産業廃棄物として埋め立てに用いて処理していた。
【０００７】
一方で、含油スラッジ中には多量の鉄分が含まれている。そこで、油分を除去（脱水・分離、焙焼等）し、鉄源として再利用することが検討されている。
例えば、特許文献１には、並流式回転キルン型燃焼炉を使用した含油スラッジの処理方法において、燃焼炉の炉内で含油スラッジ中の油分が蒸発する地点に、油分を燃焼するのに必要な空気または酸素を富化した空気を強制的に吹き込むとともに、燃焼炉の出側の排ガス中酸素濃度を０．１〜５体積％に制御し、さらに含油スラッジの投入口の炉内の内壁面温度を４００℃以上とした条件下で油分を燃焼除去し、油分の除去されたスラッジを非酸化条件下で冷却することが開示されている。
【０００８】
また、特許文献２には、含油スラッジの処理において、含油スラッジに高圧流体を吹き付けるなどして、１〜１０ｍｍの小塊状にして分散させ高温のロータリーキルン内で焼却する方法が提案されている。
【先行技術文献】
【特許文献】
【０００９】
【特許文献１】特開平１０−１６９９５７号公報
【特許文献２】特開平８−１２１７３６号公報
【発明の概要】
【発明が解決しようとする課題】
【００１０】
ところで、このような含油スラッジの処理では、重油等の燃料が用いられる。使用する重油の量は、含油スラッジの油分含有量が多い程、多くなる。
コスト低減や環境のためにも、含油スラッジの処理では、使用する燃料は削減するのが好ましい。
【００１１】
加えて、含油スラッジの処理では、燃焼炉から排ガスは排出される。この排ガスには、不可避的に微細なスラッジや油分が含まれる。
そのため、燃焼炉から排出された排ガスはサイクロンや電気集塵機等の処理装置で処理されるが、前述のように、排ガス中の油分は、目詰まりや火災などの事故の原因となる。従って、含油スラッジの処理を行う燃焼炉から排出される排ガスには、含有する油分が少ないことが求められる。
【００１２】
特許文献１に記載される含油スラッジの処理方法によれば、酸素富化空気の吹込によって排ガス中の酸素濃度の制御、含油スラッジ投入口の炉内温度、処理済のスラッジの冷却を制御することで、処理済みの含油スラッジに含有される油分を低減できる。
また、特許文献２に記載される含油スラッジの処理方法によれば、含油スラッジを小塊状にして分散して燃焼することによって、含油スラッジの燃焼効率を向上し、かつ、ＬＰＧ等の助燃料の使用量も低減できる。
【００１３】
しかしながら、特許文献１および特許文献２には、含油スラッジの処理において、重油等の燃料の使用量を削減することや、排ガス中の油分の低減に関する記載は無い。
【００１４】
したがって本発明の目的は、含油スラッジの処理において、重油等の燃料の使用量を削減でき、かつ、排ガスに含まれる油分も低減できる含油スラッジの処理方法、および、この処理方法を利用する焼結原料の製造方法を提供することにある。
【課題を解決するための手段】
【００１５】
本発明者らは、上記課題を解決するため検討を重ねた。その結果、以下の知見を得て、本発明に至った。
鉄系の含油スラッジを、ロータリーキルン等の燃焼炉で処理した場合、キルン出口から高温の排ガスが排出される。通常、含油スラッジ処理設備には排ガスに含有されるダスト処理としてサイクロン、電気集塵機等が設置されている。この排ガス中には含油スラッジより揮発した未燃焼の油分が含有され、この油分が排ガス処理設備に供給された場合には、発火等のトラブルを有する。
しかしながら、燃焼炉より排出される排ガスは５００℃以上の高温顕熱を有し、かつ、未燃焼油分を含有する。従って、この排ガスの一部を、排ガスの処理経路より分岐し、燃焼炉に供給する燃焼用空気として利用することにより、排ガスが有する顕熱が燃焼に寄与するため、燃料の使用料を削減できる。しかも、排ガスの一部を燃焼用空気として燃焼炉に供給することにより、排ガスが燃焼炉を含む経路を循環する結果となり、排ガス中の油分も低減できる。
【００１６】
すなわち、本発明の含油スラッジの処理方法は、鉄系の含油スラッジを燃焼炉によって処理する際に、
前記燃焼炉に、燃料と、前記燃料を燃焼するための燃焼用空気とを供給すると共に、前記燃焼炉から排出された排ガスの一部を、前記燃焼用空気の少なくとも一部として用いることを特徴とする含油スラッジの処理方法を提供する。
【００１７】
このような本発明の含油スラッジの処理方法において、さらに、前記燃焼炉から排出された排ガスを排ガス処理設備によって処理し、前記排ガス処理設備で処理されていない排ガスを、前記燃焼用空気として用いるのが好ましい。
また、さらに、前記排ガス処理設備に供給する排ガスに冷却用空気を混合し、前記冷却用空気が混合されていない排ガスを、前記燃焼用空気として用いるのが好ましい。
また、前記排ガス処理設備が、複数の処理装置によって排ガスの処理を行うものであり、最初の前記処理装置によって処理された排ガスを、前記燃焼用空気として用いるのが好ましい。
さらに、前記排ガス処理設備が、最初にサイクロンによって排ガスを処理し、次いで、電気集塵機によって排ガスを処理するものであるのが好ましい。
【００１８】
また、本発明の焼結原料の製造方法は、鉄系の含油スラッジを燃焼炉によって処理する焼結原料の製造方法であって、
前記燃焼炉に、燃料および前記燃料を燃焼するための燃焼用空気とを供給すると共に、前記燃焼炉から排出された排ガスの一部を、前記燃焼用空気の少なくとも一部として用いることを特徴とする焼結原料の製造方法を提供する。
【発明の効果】
【００１９】
本発明によれば、燃焼炉による鉄系の含油スラッジの処理において、燃焼炉に供給する重油等の燃料の使用量を削減できる。また、燃焼炉から排出される排ガス中に残る未燃焼油分を燃焼させることで、含油スラッジを極めて効率的に処理できる。さらに、排ガス中に含まれる油分を低減できるので、排ガスを処理する処理設備の油分による汚染や、異常高温、発火等のトラブルを回避できる。
【図面の簡単な説明】
【００２０】
【図１】本発明の含油スラッジの処理方法の一例を説明するための概念図である。
【図２】図１に示す含油スラッジの処理方法を実施する設備を概念的に示す設備図である。
【図３】本発明の含油スラッジの処理方法の別の例を説明するための概念図である。
【発明を実施するための形態】
【００２１】
以下、本発明の含油スラッジの処理方法および焼結原料の製造方法について、添付の図面に示される好適例を基に詳細に説明する。
【００２２】
図１に、本発明の含油スラッジの処理方法すなわち本発明の焼結原料の製造方法を説明するための概念図を示す。また、図２に、図１に示す含油スラッジの処理方法を実施する含油スラッジの処理設備の設備図を概念的に示す。
【００２３】
図１および図２に示す例では、鉄系の含油スラッジをロータリーキルン１０で処理すると共に、ロータリーキルン１０から排出された高温の排ガスを、サイクロン１２および電気集塵機１４で処理する。
【００２４】
含油スラッジは、ホッパ１８に投入されて、スクリューコンベア２０によって、ロータリーキルン１０に供給される。
また、ロータリーキルン１０には、含油スラッジと同時に、ブロワ２４によって燃焼用空気が供給され、また、図示しない供給装置によって重油等の燃料が供給される。燃焼用空気は、酸素が過剰になるように供給される。
【００２５】
ロータリーキルン１０内では、重油等の燃料による燃焼ガスにより、含油スラッジが昇温し、油分が揮発し、炉内の過剰酸素によって燃焼する。
【００２６】
なお、本発明の含油スラッジの処理方法において、燃焼炉は、ロータリーキルン１０に限定はされず、シャフト炉（竪型炉）、多段炉、回転炉、流動炉、バッチ炉等、含油スラッジの処理に利用される燃焼炉（焙焼炉、焼却炉）が、各種、利用可能である。
【００２７】
ロータリーキルン１０で処理された油分除去スラッジは、ロータリーキルン１０の出口を構成するキルンフード１６に排出され、キルンフード１６の下部から排出されて、スラッジ搬送コンベア２６によって、回収槽３０に搬送される。
【００２８】
他方、ロータリーキルン１０（キルンフード１６）から排出された高温の排ガス（重油等燃料の燃焼ガス、油分の燃焼ガス、過剰空気、未燃焼油分、ダスト等）は、排気管２８によってサイクロン１２に供給される。
なお、排気管２８から分岐して回収槽３０に接続する配管３６は、排気管２８の途中に蓄積したダスト等を抜き出すための配管である。
【００２９】
ここで、ロータリーキルン１０から排出された排ガスは、高温（通常、５００℃以上）である。そのため、ロータリーキルン１０から排出された排ガスには、サイクロン１２に入る前に、設備保護の観点から、冷却用空気（冷却用空気２）が混合される。
また、同様の理由で、排ガスには、キルンフード１６の下部からも、冷却用空気（冷却用空気１）が混合される。
【００３０】
なお、本発明の含油スラッジの処理方法において、排ガスを冷却するための冷却用空気１および／または冷却用空気２は、必要に応じて混合すればよい。
すなわち、サイクロン１２や電気集塵機１４等の排ガスの処理設備が十分な耐熱性を有する場合には、冷却用空気１および冷却用空気２の少なくとも一方、あるいは、両方とも、混合しなくてもよい。後述する燃焼用空気として供給する排ガスの温度の点からは、冷却用空気１および冷却用空気２は、少なくとも一方を混合しないのが好ましく、両方とも混合しないのが、より好ましい。
【００３１】
サイクロン１２では、排ガス中の微粉ダストおよび未燃焼油分が除去される。
サイクロン１２で処理された排ガスは、次いで、電気集塵機１４で処理されて、微粉ダストおよび未燃焼油分が、さらに除去される。
サイクロン１２および電気集塵機１４で回収された微粉ダストは、ブロワ３８によって回収管４０を輸送され、油分除去スラッジと同様に回収槽３０に搬送される。
【００３２】
なお、本発明の含油スラッジの処理方法において、排ガスの処理は、サイクロン１２および電気集塵機１４の両方によって行うのに限定はされず、いずれか一方による処理のみであってもよい（１段階の処理であってもよい）。さらに、排ガスの処理は、図示例のような２段階ではなく、必要に応じて、３段階以上の処理を行ってもよい。
また、排ガスの処理は、サイクロン１２および／または電気集塵機１４以外にも、バグフィルタ等、含油スラッジの処理における排ガス処理に用いられる各種の処理手段が利用可能である。
【００３３】
電気集塵機１４で処理された排ガスは、煙突３４から排出される。なお、電気集塵機１４から排出される排ガスの温度が高い場合には、必要に応じて、煙突３４の前に冷却塔を設置してもよい。
図２に示す含油スラッジの処理設備において、ロータリーキルン１０から煙突３４に到る排ガスの輸送、および、排ガスへの冷却用空気１および冷却用空気２の混合（排ガスへの冷却用空気の吸引）は、電気集塵機１４と煙突３４との間に配置されるブロワ３２によって行われる。
【００３４】
ここで、図１および図２に示される例では、ロータリーキルン１０（キルンフード１６）の排ガスの出口と冷却用空気２の混合位置との間、すなわち、冷却用空気２の混合位置よりも上流（ロータリーキルン１０側）で、排気管２８から分岐して、排ガス供給管４２が設けられる。排ガス供給管４２は、ブロワ２４による燃焼用空気の供給管に接続される。また、排ガス供給管４２には、排ガス輸送用のブロワ４６が設けられる。なお、排ガス供給管４２は、保温されている。
すなわち、図示例の含油スラッジ処理設備では、ロータリーキルン１０から排出された排ガスの一部を分岐して、分岐した排ガスを、燃焼用空気として、ブロワ４６によって排ガス供給管４２からロータリーキルン１０に供給する（排ガスの一部を循環する）。
本発明の含油スラッジの処理方法においては、ロータリーキルン１０から排出された排ガスの一部を、燃焼用空気としてロータリーキルン１０に供給することにより、燃料として供給する重油の使用量を削減し、かつ、排ガスに含まれる油分を低減する。
【００３５】
前述のように、ロータリーキルン１０から排出される排ガスは、例えば５００℃以上の高温の排ガスである。従って、この排ガスを燃焼用空気としてロータリーキルン１０に供給することにより、高温の排ガスの顕熱分が燃焼に寄与するので、燃料として供給する重油の使用量を削減できる。
また。ロータリーキルン１０から排出される排ガスには、未燃焼油分が数ｍｇ／Ｎｍ3程度含まれている。排ガスを燃焼用空気としてロータリーキルン１０に供給することにより、この未燃焼油分も燃料として利用できるので、含油スラッジを極めて効率的に処理でき、この点でも、燃料として供給する重油の使用量を削減できる。
さらに、排ガスの一部を分岐して燃焼用空気として燃焼炉に供給することにより、排ガスが燃焼炉を含む経路を循環する結果となり、排ガス中の油分も低減できる。加えて、排ガス中に含まれる油分を低減できるので、排ガスを処理するサイクロン１２や電気集塵機１４の汚染や、異常高温、発火等のトラブルを回避できる。
加えて、本発明の含油スラッジの処理方法すなわち本発明の焼結原料の製造方法によれば、含油スラッジを極めて効率的に処理できるため、処理した含油スラッジを焼結原料等として好適に利用でき、含油スラッジに含まれる鉄分の利用効率を向上できる。
【００３６】
本発明の含油スラッジの処理方法において、燃焼用空気として排ガスから分岐する排ガスの量、すなわち、排ガスの内、燃焼用空気としてロータリーキルン１０に供給する排ガスの割合（以下、排ガスの分岐量とも言う）は、ロータリーキルン１０の入口における酸素濃度等に応じて、適宜、設定すればよい。
本発明者の検討によれば、排ガスの分岐量は、燃焼用空気（分岐した排ガス（循環ガス）を混合した後の、ロータリーキルン１０の入口における燃焼用空気）中の酸素濃度により規定するのが好ましい。
燃焼用空気中の酸素濃度が１６％未満となった場合には、重油および含油スラッジ中の油分の燃焼が不安定となる。また、排気管２８から分岐する排ガスの量が多くなると、相対的に排ガスの量が増加して、ロータリーキルン１０内におけるガス速度が速くなり、気相中での油分の燃焼に必要な滞留時間が確保できなくなる。また、ロータリーキルン１０内におけるガス流速が速くなることで、飛散するダスト量も増加する。
そのため、排ガスの分岐量は、キルンフード１６の出口における排ガスの１０〜３０ｖｏｌ％であるのが好ましく、２０〜３０ｖｏｌ％であるのがより好ましい。
排ガスの分岐量を、キルンフード１６の出口における排ガスの１０〜３０ｖｏｌ％とすることにより、排ガスをロータリーキルン１０に供給する効果を十分に得て、使用する燃料をより削減できる。
【００３７】
排ガスの分岐量は、調節可能にしてもよい。
この場合には、一例として、含油スラッジの含油量、含油スラッジの処理量等に応じて、排ガスの分岐量を調節すればよい。
さらに、含油スラッジの供給量も、ロータリーキルン１０大きさ等に応じて、適宜、設定すればよい。
【００３８】
本発明の含油スラッジの処理方法において、燃焼用空気として供給する排ガスは、図１および図２に示すように、冷却用空気２と混合される前の排ガスであるのが好ましい。すなわち、燃焼用空気として供給する排ガスは、冷却用空気２の混合位置より上流側で分岐するのが好ましい。これにより、より高温の排ガスを燃焼用空気としてロータリーキルン１０に供給できる。
また、燃焼用空気として供給する排ガスは、可能な限り可能な限りロータリーキルン１０（キルンフード１６の出口）に近い排ガスであるのが好ましい。すなわち、燃焼用空気として供給する排ガスは、設備の設計上、可能な限りロータリーキルン１０の排ガス排出口に近い位置から分岐するのが好ましい。これにより、同様に、より高温の排ガスをロータリーキルン１０に供給できる。
【００３９】
なお、図２に示す例では、排ガス供給管４２にブロワ４６を設けて、排ガスをロータリーキルン１０に供給しているが、本発明は、これに限定はされない。
例えば、排気管２８で排ガスを輸送するブロワ３２による送風量を制御することによって、排気管２８から分岐する排ガス供給管４２から、ロータリーキルン１０に排ガスを供給してもよい。
【００４０】
図３に、本発明の含油スラッジの処理方法すなわち本発明の焼結原料の製造方法の別の態様を概念的に示す。
図１および図２に示す例では、ロータリーキルン１０とサイクロン１２との間（かつ、冷却用空気２の導入部の上流）から分岐して、排ガスを燃焼用空気としてロータリーキルン１０に供給している。
これに対して、図３に示す例は、サイクロン１２と電気集塵機１４との間で分岐して、燃焼用空気としてロータリーキルン１０に供給する。すなわち、排ガスを最初に処理するサイクロン１２によって処理した排ガスを、燃焼用空気としてロータリーキルン１０に供給する。サイクロン１２で処理した排ガスも、ある程度の高温である。従って、この排ガスを燃焼用空気としてロータリーキルン１０に供給することにより、排ガスの顕熱分が重油等の燃料の削減に寄与する。
【００４１】
あるいは、本発明の含油スラッジの処理方法は、電気集塵機１４によって処理した排ガスを、燃焼用空気としてロータリーキルン１０に供給してもよい。
サイクロン１２で処理した排ガスや、電気集塵機１４によって処理した排ガスを、燃焼用空気としてロータリーキルン１０に供給する場合において、排ガスの分岐量は、キルンフード１６から排出される排ガスの分岐量と同様に、各処理機からの排ガスの排出量の１０〜３０ｖｏｌ％とするのが好ましく、２０〜３０ｖｏｌ％とするのがより好ましい。ただし、図示例のように、冷却用空気２を供給する場合には、上記分岐量では、ロータリーキルン１０に供給する排ガスの量が多くなってしまう傾向に有るので、注意を要する。
【００４２】
すなわち、本発明の含油スラッジの処理方法では、ロータリーキルン１０から排出された排ガスであれば、どの位置で分岐した排ガスであっても、利用可能である。
しかしながら、燃焼用空気としてロータリーキルン１０に供給する排ガスの温度を考慮すれば、できるだけロータリーキルン１０に近い位置（できるだけ上流側）で分岐して、排ガスをロータリーキルン１０に供給するのが好ましい。
従って、本発明においては、図１および図２に示す例のように、最初の処理装置であるサイクロン１２で処理される前の排ガス、すなわち、サイクロン１２よりも上流で分岐して、排ガスを燃焼用空気としてロータリーキルン１０に供給するのが好ましい。
【００４３】
また、本発明の含油スラッジの処理方法では、キルンフード１６とサイクロン１２との間で分岐した排ガスと、サイクロン１２と電気集塵機１４との間で分岐した排ガスとの両方を、燃焼用空気としてロータリーキルン１０に供給してもよい。すなわち、本発明においては、２以上の複数箇所で排ガスを分岐して、燃焼用空気としてロータリーキルン１０に供給してもよい。
しかしながら、ブロワ２４によって供給する燃焼用空気燃の制御性や、燃焼用空気として供給する排ガスの制御性等を考慮すると、燃焼用空気としてロータリーキルン１０に供給する排ガスは、１箇所から分岐した排ガスのみとするのが好ましい。
【００４４】
さらに、本発明の含油スラッジの処理方法を実施する含油スラッジの処理設備は、サイクロン１２や電気集塵機１４等の、排ガスの処理設備を有さない設備であってもよい。
【００４５】
以上、本発明の含油スラッジの処理方法および焼結原料の製造方法について詳細に説明したが、本発明は、上述の例に限定はされず、本発明の要旨を逸脱しない範囲において、各種の改良や変更を行ってもよいのは、もちろんである。
【実施例】
【００４６】
以下、本発明の具体的実施例を挙げ、本発明の含油スラッジの処理方法および焼結原料の製造方法について、より詳細に説明する。
なお、本発明は、以下の実施例に限定されないのは、もちろんである。
【００４７】
［実施例１］
図２に示す含油スラッジの処理設備を用いて、含油スラッジの処理を行った。
条件は、以下のとおりである。
ロータリーキルン１０への含油スラッジの供給量；  １．７５ｔ／ｈ
なお、含油スラッジは、油分濃度が１０質量％、水分濃度が３０％で、残部は鉄と不可避的不純物からなるものである。
重油供給速度；  １０６Ｌ（リットル）／ｈ
燃焼用空気の供給量（排ガスを除く）；  ２６８７Ｎｍ3／ｈ
冷却用空気１の供給量（吸い込み量）；  ９５０Ｎｍ3／ｈ
冷却用空気２の供給量（吸い込み量）；  ７２００Ｎｍ3／ｈ
【００４８】
キルンフード１６から排出される排ガス量は、４４５０Ｎｍ3／ｈで、その内から、８９０Ｎｍ3／ｈ（分岐量２０ｖｏｌ％）を分岐して、燃焼用空気（温度４４４℃）としてロータリーキルン１０に供給した。
【００４９】
サイクロン１２に供給した排ガスは、排ガス量が１１６４０Ｎｍ3／ｈで、油分濃度が５５ｍｇ／Ｎｍ3、ダスト濃度が８．０ｇ／Ｎｍ3、酸素濃度が１１．９ｖｏｌ％であった。
また、サイクロン１２から排出された排ガスは、排ガス量が１１６４０Ｎｍ3／ｈで、油分濃度が７ｍｇ／Ｎｍ3、ダスト濃度が０．９６０ｇ／Ｎｍ3であった。
【００５０】
また、排ガス処理によって回収した微粉ダストの量は９３ｋｇ／ｈ、排ガス処理で回収されたダスト中の油分濃度は０．６９質量％、電気集塵機１４から排出された排ガス中の油分濃度は０．６６質量％であり、操業トラブルを生じることなく、含油スラッジの処理を行うことができた。
【００５１】
［実施例２］
燃焼用空気として供給する排ガスの分岐位置を、冷却用空気２の混合位置の上流から図３に示すサイクロン１２と電気集塵機１４との間に変更した以外は、図２に示す含油スラッジの処理設備を用いて、実施例１と同様に含油スラッジを処理した。
なお、排ガスの分岐位置の変更に伴い、重油供給速度のみ、１０９Ｌ／ｈに変更した。
【００５２】
サイクロン１２に供給した排ガスは、排ガス量が１３３７７Ｎｍ3／ｈで、油分濃度が３３．７ｍｇ／Ｎｍ3、ダスト濃度が７．１ｇ／Ｎｍ3、酸素濃度が１０．６ｖｏｌ％であった。
サイクロン１２から排出される排ガスは、排ガス量が１３３７７Ｎｍ3／ｈで、その内から、１７４７Ｎｍ3／ｈ（分岐量１３ｖｏｌ％）を分岐して、燃焼用空気（温度１９０℃）としてロータリーキルン１０に供給した。また、サイクロン１２から排出された排ガスは、油分濃度が７ｍｇ／Ｎｍ3、ダスト濃度が０．８６ｇ／Ｎｍ3であった。
【００５３】
また、排ガス処理によって回収した微粉ダストの量は９６ｋｇ／ｈ、排ガス処理で回収されたダスト中の油分濃度は０．７８質量％、電気集塵機１４から排出された排ガス中の油分濃度は０．６２質量％であり、操業トラブルを生じることなく、含油スラッジの処理を行うことができた。
【００５４】
［比較例１］
分岐した排ガスを燃焼用空気としてロータリーキルンに供給しなかった以外は、図２に示す含油スラッジの処理設備を用いて、実施例１と同様に含油スラッジを処理した。
なお、排ガスを燃焼用空気として供給しなかったことに伴い、重油供給速度のみ、１２０Ｌ／ｈに変更した。
【００５５】
サイクロン１２に供給した排ガスは、排ガス量が１１６５０Ｎｍ3／ｈで、油分濃度が７３ｍｇ／Ｎｍ3、ダスト濃度が８．２ｇ／Ｎｍ3、酸素濃度が１１．５ｖｏｌ％であった。
また、サイクロン１２から排出された排ガスは、排ガス量が１１６５０Ｎｍ3／ｈで、油分濃度が９ｍｇ／Ｎｍ3、ダスト濃度が０．９８４ｇ／Ｎｍ3であった。
【００５６】
また、排ガス処理によって回収した微粉ダストの量は９６ｋｇ／ｈ、排ガス処理で回収されたダスト中の油分濃度は０．８９質量％、電気集塵機１４から排出された排ガス中の油分濃度は１．１質量％であり、サイクロン１２および電気集塵機１４の汚染、および、排ガス中の油分濃度が問題となった。
【００５７】
以上のように、本発明によれば含油スラッジの処理に使用する燃料の使用量を削減できる。しかも、燃料使用料を削減したにも関わらず、排ガス中の油分濃度を低減して、排ガスを処理する処理設備の油分による汚染や、異常高温、発火等のトラブルを回避できる。
特に、ロータリーキルン１０から排出した排ガスを、冷却用空気２と混合する前に分岐した実施例１では、サイクロン１２の下流で排ガスを分岐した実施例２に比して、良好な燃料削減効果が得られている。
【産業上の利用可能性】
【００５８】
製鉄所における圧延等で排出される含油スラッジの処理や、鉄鋼業以外のプロセスで排出された含油スラッジの処理、含油スラッジを用いる焼結原料の製造等に、好適に利用可能である。
【符号の説明】
【００５９】
１０  ロータリーキルン
１２  サイクロン
１４  電気集塵機
１６  キルンフード
１８  ホッパ
２０  スクリューフィーダ
２４、３２、３８、４６  ブロワ
２６  スラッジ搬送コンベア
２８  排気管
３０  回収槽
３４  煙突
４０  回収管
４２  排ガス供給管
【図１】
2016123913.tif 000003
【図２】
2016123913.tif 000004
【図３】
2016123913.tif 000005
【手続補正書】
【提出日】平成27年11月30日(2015.11.30)
【手続補正２】
【補正対象書類名】特許請求の範囲
【補正対象項目名】請求項６
【補正方法】変更
【補正の内容】
【請求項６】
鉄系の含油スラッジと、燃料と、前記燃料を燃焼するための燃焼用空気とを燃焼炉に供給すると共に、前記燃焼炉から排出された排ガスの一部を、前記燃焼用空気の少なくとも一部として用い、
前記燃焼炉より油分除去スラッジを、前記燃焼炉から排出された排ガスより微粉ダストを、それぞれ、回収することを特徴とする製鉄原料の製造方法。
【手続補正３】
【補正対象書類名】明細書
【補正対象項目名】０００１
【補正方法】変更
【補正の内容】
【０００１】
本発明は、鉄鋼の製造過程において発生する油分を多く含む鉄系の含油スラッジの処理方法、および、この処理方法を利用する製鉄原料の製造方法に関する。具体的には、含油スラッジを製鉄原料の一部等として再利用する含油スラッジの処理において、燃料の削減を可能にする含油スラッジの処理方法、および、この処理方法を利用する製鉄原料の製造方法に関する。
【手続補正４】
【補正対象書類名】明細書
【補正対象項目名】００１４
【補正方法】変更
【補正の内容】
【００１４】
したがって本発明の目的は、含油スラッジの処理において、重油等の燃料の使用量を削減でき、かつ、排ガスに含まれる油分も低減できる含油スラッジの処理方法、および、この処理方法を利用する焼結原料や転炉製鋼原料などの製鉄原料の製造方法を提供することにある。
【手続補正５】
【補正対象書類名】明細書
【補正対象項目名】００１８
【補正方法】変更
【補正の内容】
【００１８】
また、本発明の製鉄原料の製造方法は、鉄系の含油スラッジと、燃料と、前記燃料を燃焼するための燃焼用空気とを燃焼炉に供給すると共に、前記燃焼炉から排出された排ガスの一部を、前記燃焼用空気の少なくとも一部として用い、
前記燃焼炉より油分除去スラッジを、前記燃焼炉から排出された排ガスより微粉ダストを、それぞれ、回収することを特徴とする製鉄原料の製造方法を提供する。
【手続補正６】
【補正対象書類名】明細書
【補正対象項目名】００１９
【補正方法】変更
【補正の内容】
【００１９】
本発明によれば、燃焼炉による鉄系の含油スラッジの処理において、燃焼炉に供給する重油等の燃料の使用量を削減できる。また、燃焼炉から排出される排ガス中に残る未燃焼油分を燃焼させることで、含油スラッジを極めて効率的に処理できる。さらに、排ガス中に含まれる油分を低減できるので、排ガスを処理する処理設備の油分による汚染や、異常高温、発火等のトラブルを回避できる。加えて、本発明の製鉄原料の製造方法によれば、本発明の含油スラッジの処理方法を利用して、焼結原料や転炉製鋼原料などの製鉄原料を製造できる。
【手続補正７】
【補正対象書類名】明細書
【補正対象項目名】００２０
【補正方法】変更
【補正の内容】
【００２０】
【図１】本発明の含油スラッジの処理方法および製鉄原料の製造方法の一例を説明するための概念図である。
【図２】図１に示す含油スラッジの処理方法および製鉄原料の製造方法を実施する設備を概念的に示す設備図である。
【図３】本発明の含油スラッジの処理方法および製鉄原料の製造方法の別の例を説明するための概念図である。
【手続補正８】
【補正対象書類名】明細書
【補正対象項目名】００２１
【補正方法】変更
【補正の内容】
【００２１】
以下、本発明の含油スラッジの処理方法および製鉄原料の製造方法について、添付の図面に示される好適例を基に詳細に説明する。
【手続補正９】
【補正対象書類名】明細書
【補正対象項目名】００２２
【補正方法】変更
【補正の内容】
【００２２】
図１に、本発明の含油スラッジの処理方法および本発明の製鉄原料の製造方法を説明するための概念図を示す。また、図２に、図１に示す含油スラッジの処理方法および本発明の製鉄原料を実施する含油スラッジの処理設備の設備図を概念的に示す。
【手続補正１０】
【補正対象書類名】明細書
【補正対象項目名】００３５
【補正方法】変更
【補正の内容】
【００３５】
前述のように、ロータリーキルン１０から排出される排ガスは、例えば５００℃以上の高温の排ガスである。従って、この排ガスを燃焼用空気としてロータリーキルン１０に供給することにより、高温の排ガスの顕熱分が燃焼に寄与するので、燃料として供給する重油の使用量を削減できる。
また。ロータリーキルン１０から排出される排ガスには、未燃焼油分が数ｍｇ／Ｎｍ3程度含まれている。排ガスを燃焼用空気としてロータリーキルン１０に供給することにより、この未燃焼油分も燃料として利用できるので、含油スラッジを極めて効率的に処理でき、この点でも、燃料として供給する重油の使用量を削減できる。
さらに、排ガスの一部を分岐して燃焼用空気として燃焼炉に供給することにより、排ガスが燃焼炉を含む経路を循環する結果となり、排ガス中の油分も低減できる。加えて、排ガス中に含まれる油分を低減できるので、排ガスを処理するサイクロン１２や電気集塵機１４の汚染や、異常高温、発火等のトラブルを回避できる。
また、本発明の製鉄原料の製造方法は、本発明の含油スラッジの処理方法を利用するものであり、本発明の含油スラッジの処理方法と同様の処理を行って、ロータリーキルン１０から油分除去スラッジら回収し、かつ、サイクロン１２および電気集塵機１４から微粉ダストを回収することにより、製鉄原料を製造するものである。従って、本発明の含油スラッジの処理方法および本発明の製鉄原料の製造方法によれば、含油スラッジを極めて効率的に処理できるため、処理した含油スラッジや排ガスから回収した微粉ダストを焼結原料や転炉製鋼原料等の製鉄原料として好適に利用でき、含油スラッジに含まれる鉄分の利用効率を向上できる。
【手続補正１１】
【補正対象書類名】明細書
【補正対象項目名】００４０
【補正方法】変更
【補正の内容】
【００４０】
図３に、本発明の含油スラッジの処理方法および本発明の製鉄原料の製造方法の別の態様を概念的に示す。
図１および図２に示す例では、ロータリーキルン１０とサイクロン１２との間（かつ、冷却用空気２の導入部の上流）から分岐して、排ガスを燃焼用空気としてロータリーキルン１０に供給している。
これに対して、図３に示す例は、サイクロン１２と電気集塵機１４との間で分岐して、燃焼用空気としてロータリーキルン１０に供給する。すなわち、排ガスを最初に処理するサイクロン１２によって処理した排ガスを、燃焼用空気としてロータリーキルン１０に供給する。サイクロン１２で処理した排ガスも、ある程度の高温である。従って、この排ガスを燃焼用空気としてロータリーキルン１０に供給することにより、排ガスの顕熱分が重油等の燃料の削減に寄与する。
【手続補正１２】
【補正対象書類名】明細書
【補正対象項目名】００４５
【補正方法】変更
【補正の内容】
【００４５】
以上、本発明の含油スラッジの処理方法および製鉄原料の製造方法について詳細に説明したが、本発明は、上述の例に限定はされず、本発明の要旨を逸脱しない範囲において、各種の改良や変更を行ってもよいのは、もちろんである。
【手続補正１３】
【補正対象書類名】明細書
【補正対象項目名】００４６
【補正方法】変更
【補正の内容】
【００４６】
以下、本発明の具体的実施例を挙げ、本発明の含油スラッジの処理方法および製鉄原料の製造方法について、より詳細に説明する。
なお、本発明は、以下の実施例に限定されないのは、もちろんである。
【手続補正１４】
【補正対象書類名】明細書
【補正対象項目名】００５８
【補正方法】変更
【補正の内容】
【００５８】
製鉄所における圧延等で排出される含油スラッジの処理や、鉄鋼業以外のプロセスで排出された含油スラッジの処理、含油スラッジを用いる製鉄原料の製造等に、好適に利用可能である。